(57)【要約】  【課題】  大型液晶画面の回転軸として安価で線材が断線する可能性が少ない回転機構である。  【解決手段】  ＶＴＲ部１に固定された回転軸４と５があり、回転軸４の外周に嵌合され、回転可能な筒状回転部材３とで構成された回転軸機構であり、回転軸４に挿入されたコイルバネ７が先端球状の軸６を押圧し、筒状回転部材３の一端にある壁の穴部に軸６の先端が押圧された時、クリック感が発生して筒状回転部材３はモニター画面２に固定されていることからモニター画面２は、設定された角度で回転を止めることが可能である。【選択図】  図１
2004242365.tif 000002
【特許請求の範囲】
【請求項１】
第１の筐体と、モニター画面部を備えた第２の筐体とを互いに回動自在に構成した磁気記録再生装置であって、前記第１の筐体に固定されかつ内部に中空部を備えた回転軸と、前記第２の筐体に回動自在に保持されかつ前記回転軸の外周に回動自在に嵌合し内部に中空部を備えた筒状回転部材とを備え、前記回転軸の中空部と前記筒状回転部材の中空部とを介して、前記第１の筐体と前記第２の筐体の内部空間が連通していることを特徴とする磁気記録再生装置。
【発明の詳細な説明】
【技術分野】
【０００１】
本発明は、磁気記録再生装置に関するものである。
【背景技術】
【０００２】
従来、例えばＶＴＲ部とは別の筐体としてモニター画面部を備えたビデオカメラは、コスト面においてはモニター画面部の回転軸機構として高価な部品を使用し、また、組立性においては、モニター画面部からＶＴＲ部に数多くの線材を通す場合において非常に通しにくく、またモニター画面部が回動自在に動くことによって、線材の信頼性を保ちにくい構成を有していた。
【０００３】
以下従来の構成について説明する。
【０００４】
図５は、従来の磁気記録再生装置の要部拡大斜視図であり、ＶＴＲ部１に固定された主軸１１と、カーリング部がこの主軸１１の外径よりもわずかに小さな内径である保持板１２が、主軸１１に嵌合し、この保持板１２はモニター画面部２に固定され、このモニター画面部２はＶＴＲ部１に固定された主軸１１の外周を回転自在に動くよう構成されたものであった。
【発明の開示】
【発明が解決しようとする課題】
【０００５】
しかしながら図５のような構成では、製品の組立時においても線材をモニター画面部からＶＴＲ部に通す場合は、主軸の外側に通すこととなり、モニター画面部が回転するたびに線材は主軸に巻き付いたり、解れたりを繰り返すために金属疲労を起こしやすく、線材の数が増せば尚更線材同士も絡み合い、線状の信頼性が保ちにくく、また主軸の外側に線材があるため、ＶＴＲ部及びモニター画面部のケースを組み立てる際にも線材をケースに挟み込んでしまい作業性や信頼性が低下してしまうものであった。
【０００６】
本発明はこのような従来の課題を解消し、回転軸の中心に線材を通すことでモニター画面部の回動に対して線材の動きを最小に抑え、軸の内部に線材を通すことでＶＴＲ部及びモニター画面部のケース組み立て時に挟み込まれることもなく、作業性や信頼性の向上した回転軸機構を備えたビデオカメラを提供するものである。
【課題を解決するための手段】
【０００７】
この目的を達成するために本発明は、第１の筐体と、モニター画面部を備えた第２の筐体とを互いに回動自在に構成した磁気記録再生装置であって、前記第１の筐体に固定されかつ内部に中空部を備えた回転軸と、前記第２の筐体に回動自在に保持されかつ前記回転軸の外周に回動自在に嵌合し内部に中空部を備えた筒状回転部材とを備え、前記回転軸の中空部と前記筒状回転部材の中空部とを介して、前記第１の筐体と前記第２の筐体の内部空間が連通している。
【０００８】
前記筒状回転部材は第２の筐体と一体であり、前記弾性部材に押圧され負荷を得て、前記回転軸部材の外周を回動自在であるように構成された回転軸機構を備える。
【０００９】
又、前記回転軸部材と筒状回転部材は成形品でできており、前記回転軸部材の中心部は中空であり、この穴は前記回転軸部材の外径の一部分に貫通し、筒状回転部材の筒部の壁面の穴から第２の筐体内部へと通じている。
【００１０】
この穴の中を第１の筐体と第２の筐体を継ぐ電気信号伝達部材が通るように構成されている。
【００１１】
又、前記筒状回転部材が第２の筐体と別部材の場合、前記筒状回転部材は中心軸と垂直に交わる方向にも中空形状を備え、この中空部は第２の筐体の側壁を貫通し、保持部材と固定されることで、この中空部が第２の筐体から抜けることなく、この中空部を軸として回動自在となる２軸の回転軸機構を有している。
【００１２】
この構成によって、本発明は安価な成形部品と簡単なバネを使用して回転軸機構を構成し、また回転軸の中心に線材を通すことでモニター画面部の回動に対して線材の動きを最小に押さえ、軸の内部に線材を通すことでＶＴＲ部及びモニター画面部のケース組み立て時に挟み込まれることもないので作業性が良く、また、信頼性の向上した回転軸機構にすることができる。
【発明の効果】
【００１３】
以上のように本発明のビデオカメラは、安価な成形部品と簡単なバネを使用して回転軸機構を構成し、回転軸の中心に線材を通すことで、回転時の線材の動きを少なくし、ケース組み立て時でも線材がケースに挟み込まれることもないので作業性が良く、また信頼性も向上するという大きな効果を生ずるものである。
【発明を実施するための最良の形態】
【００１４】
以下、本発明の一実施例について、ビデオカメラを一例に図面を参照しながら説明する。
【００１５】
図１において、ＶＴＲ部１の側面にモニター画面部２を備え、ＶＴＲ部１に対して回転軸機構によって、モニター画面部２を矢印ａ及びｂ方向に回動自在な構成を有したビデオカメラである。なお、本実施例はビデオカメラを一例として説明しているが、これに限定されるものではない。
【００１６】
図２は前記回転軸機構内部を示したもので、回転軸４、軸部材５はＶＴＲ部１に固定され、この回転軸４の外周には筒状回転部材３が嵌合しており、この筒状回転部材３の一端の壁の中心部には穴があり、回転軸４の中心部から突出した軸部がこの穴を貫通し、軸部材５にビス９で固定され、筒状回転部材３は矢印ａ方向に回動自在となる構成である。
【００１７】
又、筒状回転部材３の一端の壁には、中心部の穴よりも外周に近い側の同心円上に中心軸に対し、ある角度で設定された穴が軸対称に複数有り、回転軸４にもこの穴と同じ円周上に一対の筒状の穴があり、この中にコイルバネ７と先端が球状になった軸６が各々挿入され、筒状回転部材３の一端の壁方向に、コイルバネ７が軸６を押圧するよう構成されている。
【００１８】
さらに筒状回転部材３は中心軸と垂直に交わる方向にも中空形状を備え、この中空部はモニター画面部２の側壁を貫通し、保持部材８にビス１０で固定されており、前記モニター画面部２は矢印ｂ方向に回動自在であり、又筒状回転部材３が矢印ａ方向に回動自在であることから、このモニター画面部２は矢印ａ方向にも回動自在となる構成である。
【００１９】
図３は図２の回転軸４をＡ−Ａ断面としたもので、この回転軸４も筒状回転部材３と同様に軸中心部が中空になっており、この中空部は軸外周部の一部に通じ、筒状回転部材３の前記中空部からモニター画面部２内に抜けており、モニター画面部２内から出て来る線材は矢印ｂ−ｅ−ｆ方向へと筒状回転部材３の中空部及び回転軸４の中空部を通って、ＶＴＲ部１へとつながるような構成である。
【００２０】
図４は図２の回転軸４をＢ−Ｂ断面としたもので、この回転軸４には前に述べた様に、コイルバネ７と軸６が筒状の穴に挿入され、筒状回転部材３の一端の壁方向に、このコイルバネ７が軸６を押圧する構成であり、筒状回転部材３の一端の壁にも回転軸４の筒状の穴と同じ円周上に、すり鉢状の穴が中心軸に対しある角度に設定してもうけられている。軸６の球状の先端は常に筒状回転部材３の一端の壁に押圧され、筒状回転部材３が矢印ａ方向に回転軸４の外周を回転することによって、筒状回転部材３の一端の壁に設けられたすり鉢状の穴に落ち込むことで、軸６は矢印ｃ方向に回転軸４の筒状の穴の中を摺動し、筒状回転部材３の回転にクリックを発生させ、筒状回転部材３と一体になって回転しているモニター画面部２を、設定した角度で一旦停止させることが可能となる構成である。
【産業上の利用可能性】
【００２１】
本発明はビデオカメラに限らず、様々な機器に利用して有効なものである。
【図面の簡単な説明】
【００２２】
【図１】本発明の一実施例の磁気記録再生装置を示す斜視図
【図２】本発明の一実施例の回転軸機構内部の構成を示す要部拡大斜視図
【図３】本発明の一実施例を示す回転軸機構の断面図
【図４】同実施例における回転軸機構の断面図
【図５】従来の一実施例を示す回転軸機構内部の構成を示す要部拡大斜視図
【符号の説明】
【００２３】
１    ＶＴＲ部
２    モニター画面部
３    筒状回転部材
４    回転軸
５    軸部材
６    軸
７    コイルバネ
８    保持部材
９    ビス
１０  ビス
１１  主軸
１２  保持板
１３  ビス
１４  ビス
【図１】
2004242365.tif 000003
【図２】
2004242365.tif 000004
【図３】
2004242365.tif 000005
【図４】
2004242365.tif 000006
【図５】
2004242365.tif 000007